(57)【要約】【課題】絶縁距離を確保しつつ小型化を図ることできるトランスを提供する。【解決手段】トランス１は、巻胴部に電線が巻回されて第１のコイルと第１のコイルの外周に第２のコイルが形成され、巻胴部の両端に設けられた第１の鍔部および第２の鍔部を有するボビンと、第１のコイルと第２のコイルとの層間において、第１の鍔部および第２の鍔部にわたって配置された棒状の磁性体と、ボビンの外周を囲むように配置されたコアとを備える。【選択図】図４
2018107323.tif 000002
【特許請求の範囲】
【請求項１】
巻胴部に電線が巻回されて第１のコイルと前記第１のコイルの外周に第２のコイルが形成され、前記巻胴部の両端に設けられた第１の鍔部および第２の鍔部を有するボビンと、
前記第１のコイルと前記第２のコイルとの層間において、前記第１の鍔部および前記第２の鍔部にわたって配置された棒状の磁性体と、
前記ボビンの外周を囲むように配置されたコアと
を備えたことを特徴とするトランス。
【請求項２】
前記第１の鍔部と接続する前記巻胴部の周部分に設けられた第１の段差部と、
前記第２の鍔部と接続する前記巻胴部の周部に設けられた第２の段差部と
をさらに備え、
前記第１の段差部および前記第２の段差部は、前記第１のコイルの前記巻胴部における前記電線の巻回位置を位置決めする
ことを特徴とする請求項１に記載のトランス。
【請求項３】
前記第１の段差部は、前記磁性体と当接する第１の当接部分の内部に、前記巻胴部の筒軸方向に沿って前記第１のコイルの引き出し線を引き出す引出孔
をさらに備えたことを特徴とする請求項２に記載のトランス。
【請求項４】
前記磁性体には、前記第１の当接部分を含む一端側に、前記磁性体と、前記引き出し線とを絶縁する絶縁部材が配されている
ことを特徴とする請求項３に記載のトランス。
【請求項５】
前記磁性体の前記第１の当接部分を含む一端側と、前記第１の鍔部および前記第１のコイルとの間に、前記磁性体と、前記引き出し線とを絶縁する絶縁部材
をさらに備えたことを特徴とする請求項３に記載のトランス。
【請求項６】
前記第１の当接部分と、前記第２の段差部が前記磁性体と当接する前記第２の段差部の第２の当接部分とのそれぞれに、前記第１のコイルと前記第２のコイルとの層間において前記第１の鍔部および前記第２の鍔部にわたって前記磁性体が配置される位置を位置決めする磁性体位置決め部
をさらに備えたことを特徴とする請求項３〜５のいずれか１項に記載のトランス。
【発明の詳細な説明】
【技術分野】
【０００１】
本発明は、トランスに関する。
【背景技術】
【０００２】
従来より、内側巻線、層間絶縁テープ、外側巻線の順序でこれらがボビンに巻き付けられた構成のトランスがある。このような構成のトランスにおいて、内側巻線と外側巻線と間の沿面距離および空間距離を確保するため、ボビンの巻枠の両端に絶縁体のスペーサを挿入したり、バリアテープを巻き付けたり、ボビンの巻枠の両端にスペーサとなる大径部分を設けたりする方法が用いられる。
【先行技術文献】
【特許文献】
【０００３】
【特許文献１】特開２０１６−１６７５３３号公報
【発明の概要】
【発明が解決しようとする課題】
【０００４】
しかしながら、上述のトランス構造では、内側巻線と外側巻線と間の沿面距離および空間距離の確保をするため、内側巻線と外側巻線と間の絶縁距離が近くなる内側巻線の引き出し線付近においてスペーサ等を用いて距離を確保することが望まれる。このため、要求される絶縁性能が高いほど、絶縁距離を確保するスペーサ等が大きくなるために、ボビンのサイズが大きくなり、トランスが大型化するという問題がある。
【０００５】
本願の開示技術は、上記に鑑みてなされたものであって、絶縁性能を確保しつつ小型化を図ることできるトランスを提供することを目的とする。
【課題を解決するための手段】
【０００６】
本願の開示技術は、例えば、トランスは、巻胴部に電線が巻回されて第１のコイルと第１のコイルの外周に第２のコイルが形成され、巻胴部の両端に設けられた第１の鍔部および第２の鍔部を有するボビンと、第１のコイルと第２のコイルとの層間において、第１の鍔部および第２の鍔部にわたって配置された棒状の磁性体と、ボビンの外周を囲むように配置されたコアとを備える。
【発明の効果】
【０００７】
開示技術によれば、例えば、絶縁性能を高めつつトランスを小型化することができる。
【図面の簡単な説明】
【０００８】
【図１】図１は、実施形態１にかかるトランスを示す斜視図である。
【図２】図２は、実施形態１にかかるトランスのボビンを示す斜視図である。
【図３Ａ】図３Ａは、実施形態１にかかるトランスのボビンの内側巻線引出孔および下部磁性体組込部を示す斜視図である。
【図３Ｂ】図３Ｂは、実施形態１にかかるトランスのボビンの内側巻線引出孔および下部磁性体組込部を下方から見た斜視図である。
【図４】図４は、実施形態１にかかるトランスにおいて、内側巻線および内側線間テープを巻き付けた状態のボビンと、内側線間テープを巻き付けた磁性体とを示す斜視図である。
【図５】図５は、実施形態１にかかるトランスにおいて、ボビンに磁性体を組み込んだ状態を示す斜視図である。
【図６】図６は、実施形態１にかかるトランスにおいて、磁性体を外側線間テープで固定した状態を示す斜視図である。
【図７】図７は、実施形態１にかかるトランスにおいて、磁性体をテープで固定した後、バリアテープを挿入した状態を示す斜視図である。
【図８Ａ】図８Ａは、実施形態１にかかるトランスにおける沿面距離および空間距離を示す縦断面図である。
【図８Ｂ】図８Ｂは、実施形態１にかかるトランスにおける沿面距離および空間距離を示す横断面図である。
【図９】図９は、従来例にかかるトランスにおける沿面距離および空間距離を示す縦断面図である。
【図１０】図１０は、実施形態２にかかるトランスにおいて、ボビンに磁性体を組み込んだ状態を示す斜視図である。
【図１１】図１１は、実施形態２にかかるトランスにおいて、ボビンに磁性体を組み込んだ状態の要部を示す斜視図である。
【発明を実施するための形態】
【０００９】
以下、本願が開示する技術にかかる実施形態について、図面を参照しつつ説明する。以下の実施形態は、共振型電源回路に用いられるトランスに開示技術を適用する例を示すが、あくまで一例に過ぎず、開示技術は、トランス一般に広く適用できる。また、以下に示す各実施形態および変形例は、矛盾しない範囲で適宜組合せることができる。
【００１０】
なお、以下の実施形態における“上”“下”“左”“右”“前”“後”などの表現は、相対的な位置を示すに過ぎない。
【００１１】
［実施形態１］
（実施形態１にかかるトランス）
図１は、実施形態１にかかるトランスを示す斜視図である。実施形態１にかかるトランス１は、コイル部４０、下部コア６１、上部コア６２、外周テープ６３を有する。下部コア６１および上部コア６２は、例えば、基体部の中央に円柱状の中足が立設され、中足を挟む基体部の両端に外足が立設されたＥ字形状のコアである。
【００１２】
トランス１において、外表面テープ２４が巻き付けられたコイル部４０は、後述のボビン１０の前側脚部１４および後側脚部１５側から、前側脚部１４の下部前側コア規制部１４ｂおよび後側脚部１５の下部後側コア規制部１５ｂの間を埋めるように、下部コア６１がそのＥ字型の中足が後述のボビン孔１７ａに嵌入されて取り付けられる。
【００１３】
また、コイル部４０は、後述のボビン１０の上部前側コア規制部１８および上部後側コア規制部１９側から、上部前側コア規制部１８および上部後側コア規制部１９側の間を埋めるように、上部コア６２がそのＥ字型の中足が後述のボビン孔１７ａに嵌入されて取り付けられる。
【００１４】
そして、コイル部４０は、下部コア６１および上部コア６２が、それらのＥ字型の外足が対向した状態で接着剤などで固定され、さらに外周テープ６３によりそれらの外周から固定される。外周テープ６３は、絶縁性を有するポリエステル系材料のテープであるとするが、同等機能を有する絶縁材料テープであってもよい。
【００１５】
（実施形態１にかかるトランスのボビン）
図２は、実施形態１にかかるトランスのボビンを示す斜視図である。図３Ａは、実施形態１にかかるトランスのボビンの内側巻線引出孔および下部磁性体組込部を示す斜視図である。図３Ｂは、実施形態１にかかるトランスのボビンの内側巻線引出孔および下部磁性体組込部を下方から見た斜視図である。なお、図２は、図１に示すコイル部４０から各種テープおよび巻線を取り除いた、実施形態１にかかるトランス１のボビン１０を示す図である。また、図２に示すように、後述のボビン孔１７ａの中心軸であるＸ−Ｘ軸を、ボビン１０の軸方向とする。
【００１６】
ボビン１０は、巻胴部１１、下部段差部１２、内側巻線引出孔１２ａ、引出孔スリット１２ｂ、下部フランジ１３、前側脚部１４、複数の前側ピン１４ａ、下部前側コア規制部１４ｂ、下部磁性体位置決め部１４ｃ、後側脚部１５、複数の後側ピン１５ａ、下部後側コア規制部１５ｂ、上部段差部１６、上部フランジ１７、ボビン孔１７ａ、上部前側コア規制部１８、上部磁性体位置決め部１８ａ、上部後側コア規制部１９を有する。
【００１７】
なお、下部フランジ１３および前側脚部１４は、第１の鍔部の一例である。また、上部フランジ１７は、第２の鍔部の一例である。
【００１８】
巻胴部１１は、ボビン１０に電線を巻き付けるための筒状部材である。下部段差部１２および上部段差部１６の間の巻胴部１１の部分に、内側巻線（１次コイル）を構成する電線が巻き付けられる。つまり、下部段差部１２および上部段差部１６は、巻胴部１１における内側巻線の巻回位置を位置決めするものである。
【００１９】
図３Ａおよび図３Ｂに示すように、内側巻線引出孔１２ａは、下部段差部１２の上面から前側脚部１４の前側ピン１４ａの付け根の面まで、ボビン１０の軸方向に貫通する孔である。引出孔スリット１２ｂは、内側巻線引出孔１２ａを下部段差部１２および前側脚部１４側に開放するように、下部段差部１２の上面から前側脚部１４の前側ピン１４ａの付け根の面まで内側巻線引出孔１２ａに沿って設けられたスリットである。下部段差部１２および上部段差部１６の間の巻胴部１１の部分に巻き付けられた電線の巻き始めまたは巻き終わりの部分が、引出孔スリット１２ｂを介して内側巻線引出孔１２ａに収納されることにより、内側巻線の引き出し線が内側巻線引出孔１２ａから引き出されることになる。なお、引出孔スリット１２ｂにより、内側巻線引出孔１２ａは、溝と言うこともできる。
【００２０】
下部フランジ１３は、ボビン１０の両端の鍔部を構成するフランジの一方であり、下部フランジ１３の円弧の一部が前側脚部１４および後側脚部１５と接続する。前側脚部１４は、底面からボビン１０の軸方向に向かう複数の前側ピン１４ａを有する。また、前側脚部１４は、コイル部４０（図１参照）に取り付けられた下部コア６１の移動を規制する下部前側コア規制部１４ｂを有する。また、図３Ａの枠囲み部分で示すように、前側脚部１４は、後述の磁性体３０をボビン１０に取り付ける際に、磁性体３０の下部が嵌合する凹部となる下部磁性体位置決め部１４ｃを有する。
【００２１】
後側脚部１５は、底面からボビン１０の軸方向に向かう複数の後側ピン１５ａを有する。また、後側脚部１５は、コイル部４０（図１参照）に取り付けられた下部コア６１の移動を規制する下部後側コア規制部１５ｂを有する。
【００２２】
上部フランジ１７は、ボビン１０の両端の鍔部を構成する下部フランジ１３に対する他方であり、上部フランジ１７の円弧の一部から上部前側コア規制部１８および上部後側コア規制部１９が延伸する。上部前側コア規制部１８は、コイル部４０（図１参照）に取り付けられた上部コア６２の移動を規制する。上部後側コア規制部１９は、コイル部４０に取り付けられた上部コア６２の移動を規制する。
【００２３】
また、上部前側コア規制部１８は、後述の磁性体３０をボビン１０に取り付ける際に、磁性体３０の上部が嵌合する凹部となる上部磁性体位置決め部１８ａを有する。
【００２４】
（実施形態１にかかるトランスのボビンに取り付けられる磁性体）
図４は、実施形態１にかかるトランスにおいて、内側巻線および内側線間テープを巻き付けた状態のボビンと、内側線間テープを巻き付けた磁性体とを示す斜視図である。すなわち、図４は、図２に示すボビン１０に、下部段差部１２および上部段差部１６の間に内側巻線を巻き付けて内側巻線の引き出し線を内側巻線引出孔１２ａから引き出した後、内側巻線、下部段差部１２、および上部段差部１６を被覆するように内側線間テープ２０を巻き付けた状態を示す。なお、線間テープは、絶縁性を有するポリエステル系材料のテープであるとするが、同等機能を有する絶縁材料テープであってもよい。
【００２５】
磁性体３０は、棒状であり、ボビン１０に取り付けた際に前側脚部１４の下部磁性体位置決め部１４ｃと嵌合する部分を含む長さｈに相当する下部が、絶縁テープ３１が巻き付けられることにより被覆されている。一例として、磁性体３０は、下部磁性体位置決め部１４ｃと嵌合する部分を含む下部の上下面と２つの側面および１つの端面を含む合計５つの面が絶縁テープ３１により被覆されている。絶縁テープは、絶縁性を有するポリエステル系材料のテープであるとするが、同等機能を有する絶縁材料テープであってもよい。そして、図４の一点鎖線で示すように、ボビン１０に磁性体３０が取り付けられると、図５に示すようになる。図５は、実施形態１にかかるトランスにおいて、ボビンに磁性体を組み込んだ状態を示す斜視図である。
【００２６】
そして、図５に示す状態のボビン１０は、ボビン１０の内側線間テープ２０による被覆部分を磁性体３０とともに被覆するように外側線間テープ２１が巻き付けられて、図６に示す状態となる。図６は、実施形態１にかかるトランスにおいて、磁性体を外側線間テープで固定した状態を示す斜視図である。
【００２７】
さらに、図７に示すように、ボビン１０において、外側線間テープ２１が巻き付けられた部分の下部フランジ１３側の端部にバリアテープ２２が巻き付けられ、上部フランジ１７側の端部にバリアテープ２３が巻き付けられる。バリアテープ２２は、後述の外側巻線（２次コイル）と下部コア６１との絶縁距離を確保する。バリアテープ２３は、後述の外側巻線と上部コア６２との絶縁距離を確保する。図７は、実施形態１にかかるトランスにおいて、磁性体をテープで固定した後、バリアテープを挿入した状態を示す斜視図である。バリアテープ２２およびバリアテープ２３は、絶縁性を有するポリエステル系またはアクリル系の材料のテープであるとするが、同等機能を有する接着剤もしくは塗布剤であってもよい。
【００２８】
そして、図示は省略するが、ボビン１０は、外側線間テープ２１が巻かれたバリアテープ２２およびバリアテープ２３の間の巻胴部１１の部分に、外側巻線を構成する電線が巻き付けられる。つまり、磁性体３０は、内側巻線と外側巻線との層間に、下部フランジ１３および上部フランジ１７にわたって配置されることになる。そして、ボビン１０に、外側巻線、バリアテープ２２、およびバリアテープ２３を被覆するように外表面テープ２４が巻き付けられて、コイル部４０（図１参照）が構成される。そして、コイル部４０に、下部コア６１および上部コア６２が取り付けられ、外周テープ６３により下部コア６１および上部コア６２が固定されて、図１に示すトランス１が構成される。
【００２９】
（実施形態１にかかるトランスにおける沿面距離および空間距離）
図８Ａは、実施形態１にかかるトランスにおける沿面距離および空間距離を示す縦断面図である。図８Ｂは、実施形態１にかかるトランスにおける沿面距離および空間距離を示す横断面図である。図９は、従来例にかかるトランスにおける沿面距離および空間距離を示す縦断面図である。なお、図８Ａは、図７のＡ−Ａ'断面のうち、下部磁性体位置決め部１４ｃ付近を示す図である。また、図８Ｂは、図７のＢ−Ｂ'断面のうち、下部磁性体位置決め部１４ｃ付近を示す図である。
【００３０】
図８Ａに示すように、実施形態１のトランス１では、内側巻線２５の引き出し線２５ａと、外側巻線２６との沿面距離（空間距離）は、α＋βとなる。ここで、沿面距離αは、図８Ｂに示すように、磁性体３０の断面のうち、引出孔スリット１２ｂの近傍で内側線間テープ２０と接するＢ−Ｂ'方向の沿面距離α１と、磁性体３０のＡ−Ａ'方向の厚みに相当する沿面距離α２との合計である（すなわち、α＝α１＋α２）。沿面距離αは、内側巻線２５および内側線間テープ２０と、外側線間テープ２１および外側巻線２６との間の絶縁距離である。
【００３１】
また、図８Ａに示すように、沿面距離βは、バリアテープ２２の下面と、絶縁テープ３１により被覆されていない磁性体３０の部分に相当する位置に巻き付けられる外側巻線２６との絶縁距離である。沿面距離βは、外側巻線２６と、下部コア６１との絶縁距離である。
【００３２】
一方、図９に示すように、従来例のトランス１Ｚでは、巻胴部１１Ｚに巻き付けられた内側巻線２５Ｚの前側脚部１４Ｚへ引き出された引き出し線２５ａＺと、外側巻線２６Ｚとの沿面距離は、下部フランジ１３Ｚ上に巻胴部１１Ｚに巻き付けて設けられたバリアテープ２２−１Ｚおよびバリアテープ２２−２Ｚの高さに相当するγ（図９参照）となる。
【００３３】
ここで、従来例の沿面距離γはバリアテープ２２−２Ｚの高さに依存しているが、実施形態１の沿面距離βはバリアテープ２２の高さには依存せず磁性体３０の絶縁テープ３１の被覆の長さｈ（図４および図８Ａ参照）に依存していることが分かる。すなわち、実施形態１のトランス１は、従来例のトランス１Ｚと比較して、バリアテープ２２−２Ｚより低い高さのバリアテープ２２であっても、外側巻線２６と、下部コア６１との絶縁距離を確保できる。
【００３４】
また、実施形態１のトランス１は、従来例のトランス１Ｚと比較して、沿面距離α分だけ内側巻線２５の引き出し線２５ａと外側巻線２６との絶縁距離をより長く確保することができる。よって、容易に沿面距離（α＋β）＞沿面距離γとすることができるので、実施形態１のトランス１は、従来例のトランス１Ｚと比較して、沿面距離を確保して絶縁性能を高めつつ、小型化することができる。
【００３５】
実施形態１によれば、内側巻線２５−外側巻線２６間に磁性体３０を挿入しリーケージインダクタンスを発生させ、電気特性を満足させることができる。実施形態１は、リーケージインダクタンスを調整する手段として内側巻線２５−外側巻線２６間に磁性体３０を挿入するトランス１において、内側巻線２５−外側巻線１６間、および、内側巻線引出孔１２ａ−外側巻線２６間での沿面距離および空間距離を確保し、トランス１を小型化させることができる。
【００３６】
実施形態１により、内側巻線２５の引き出し線２５ａ−外側巻線２６間の沿面距離および空間距離を確保する役割の一部または全てを磁性体３０および内側巻線引出孔１２ａに持たせることができる。よって、従来、沿面距離および空間距離の確保に必要であったバリアテープやスペーサの幅を小さくし、トランス１を小型化することができる。つまり、必要なバリアテープやスペーサ幅を低くすることができるため、必要なボビンの巻枠をより小さくすることができることから、従来と比べてトランス１を小型化することができる。
【００３７】
（実施形態１の変形例）
以上の実施形態１では、トランス１は、ボビン１０において、下部段差部１２および上部段差部１６の間に内側巻線２５を巻き付けて内側巻線２５の引き出し線２５ａを内側巻線引出孔１２ａから引き出す構成とするが、これに限らず、下部段差部１２および上部段差部１６を設けず、下部段差部１２および上部段差部１６に該当するスペーサを絶縁性を有する樹脂により構成して内側巻線引出孔１２ａを設けず、棒状の磁性体３０の下部付近から内側巻線２５の引き出し線２５ａを引き出す構成としてもよい。
【００３８】
また、以上の実施形態１では、磁性体３０は、下部磁性体位置決め部１４ｃと嵌合する部分を含む下部の下端面およびこの下端面に隣接する４つの面を含む合計５つの面が絶縁テープ３１により被覆されているとするが、これに限られるものではない。すなわち、磁性体３０は、下部磁性体位置決め部１４ｃと直接当接する面が絶縁テープ３１により被覆されていればよく、ボビン１０に取り付けた際にボビン１０の外方に向かう面は被覆されていなくてもよい。
【００３９】
なお、実施形態では、内側巻線を１次コイル、外側巻線を２次コイルとするが、内側巻線を２次コイル、外側巻線を１次コイルとしてもよい。
【００４０】
［実施形態２］
実施形態２は、磁性体に絶縁領域を設ける構成が実施形態１と異なり、その他の点は実施形態１と同様である。以下の実施形態２の説明では、実施形態１と同一の構成には同一の符号を付与して説明を省略する。
【００４１】
図１０は、実施形態２にかかるトランスにおいて、ボビンに磁性体を組み込んだ状態を示す斜視図である。図１１は、実施形態２にかかるトランスにおいて、ボビンに磁性体を組み込んだ状態の要部を示す斜視図である。
【００４２】
実施形態２にかかるトランス１Ａにおいて、ボビン１０Ａに組み込む磁性体３０Ａは、実施形態１の磁性体３０と比較して、絶縁テープ３１により被覆されない点が異なる。図１０および図１１に示すように、磁性体３０Ａは、ＬＣＰ（Liquid  Crystal  Polymer）などの熱可塑性樹脂を用いて形成された絶縁部材３１Ａが取り付けられた状態で、上部磁性体位置決め部１８ａおよび前側脚部１４Ａの下部磁性体位置決め部１４ｃＡと嵌合するようにボビン１０Ａに取り付けられる。
【００４３】
また、絶縁部材３１Ａは、上部絶縁部材３１−１Ａおよび下部絶縁部材３１−２Ａを含む。上部絶縁部材３１−１Ａは、磁性体３０Ａの内側線間テープ２０側の背面およびこの背面に隣接する両側面を被覆し、実施形態１の磁性体３０と同様に、内側巻線（図示せず）の引き出し線（図示せず）と外側巻線（図示せず）との絶縁距離を確保する。
【００４４】
具体的には、図１１に示すように、実施形態２のトランス１Ａでは、内側巻線（図示せず）の引き出し線（図示せず）と、外側巻線（図示せず）との沿面距離（空間距離）は、（α'＋β'）となる。
【００４５】
ここで、図１１に示すように、沿面距離α'は、上部絶縁部材３１−１Ａが引出孔スリット１２ｂＡの近傍で内側線間テープ２０と接する沿面距離α１'と、上部絶縁部材３１−１Ａの厚みに相当する沿面距離α２'との合計である（すなわち、α'＝α１'＋α２'）。すなわち、沿面距離α'は、内側巻線（図示せず）および内側線間テープ２０と、外側線間テープ（図示せず）および外側巻線（図示せず）との間の絶縁距離である。
【００４６】
また、図１１に示すように、沿面距離β'は、上部絶縁部材３１−１Ａの高さに相当する沿面距離β１'と、下部絶縁部材３１−２Ａの高さに相当する沿面距離β２'との絶縁距離である。また、沿面距離βは、外側巻線２６と、下部コア６１との合計である（すなわち、β'＝β１'＋β２'）。沿面距離β'は、外側巻線（図示せず）と、下部コア６１（図１参照）との絶縁距離でもある。
【００４７】
よって、実施形態２によれば、トランス１Ａにおいて、沿面距離α'分だけ内側巻線（図示せず）の引き出し線（図示せず）と外側巻線（図示せず）との絶縁距離をより長く確保することができる。よって、トランス１Ａにおいて、α'およびβ'の長さを適切に設定することで、沿面距離を確保して絶縁性能を高めつつ、トランス１Ａを小型化することができる。
【００４８】
上述の実施形態１，２にかかるトランス１，１Ａの各部は、設計に応じて適宜統合または分散してもよい。また、上述の実施形態１，２およびそれらの変形例にかかるトランス１，１Ａの各部を適宜、組合せ、置換、省略して構成したトランスも、開示技術にかかるトランスに含まれる。
【符号の説明】
【００４９】
１，１Ａ  トランス
１０，１０Ａ  ボビン
１１  巻胴部
１２  下部段差部
１２ａ  内側巻線引出孔
１２ｂ，１２ｂＡ  引出孔スリット
１３  下部フランジ
１４，１４Ａ  前側脚部
１４ａ  前側ピン
１４ｂ  下部前側コア規制部
１４ｃ，１４ｃＡ  下部磁性体位置決め部
１５  後側脚部
１５ａ  後側ピン
１５ｂ  下部後側コア規制部
１６  上部段差部
１７ａ  ボビン孔
１７  上部フランジ
１８  上部前側コア規制部
１８ａ  上部磁性体位置決め部
１９  上部後側コア規制部
２０  内側線間テープ
２１  外側線間テープ
２２  バリアテープ
２３  バリアテープ
２４  外表面テープ
２５ａ  引き出し線
２５  内側巻線
２６  外側巻線
３０，３０Ａ  磁性体
３１  絶縁テープ
３１Ａ  絶縁部材
３１−１Ａ  上部絶縁部材
３１−２Ａ  下部絶縁部材
４０  コイル部
６１  下部コア
６２  上部コア
６３  外周テープ
【図１】
2018107323.tif 000003
【図２】
2018107323.tif 000004
【図３Ａ】
2018107323.tif 000005
【図３Ｂ】
2018107323.tif 000006
【図４】
2018107323.tif 000007
【図５】
2018107323.tif 000008
【図６】
2018107323.tif 000009
【図７】
2018107323.tif 000010
【図８Ａ】
2018107323.tif 000011
【図８Ｂ】
2018107323.tif 000012
【図９】
2018107323.tif 000013
【図１０】
2018107323.tif 000014
【図１１】
2018107323.tif 000015